(57)【要約】      （修正有）【課題】鉄骨建築の鉄骨構造素材を加工難易度により部品化してＩＣチップにより管理することによって、生産性向上と流通コスト軽減を図る。【解決手段】建設会社から受注したメーカーからの鉄鋼素材に、工事業者のホストコンピユーターでアクセスできるＩＣチップを装着し、鉄鋼は柱，梁等に分割し、加工難易度によって、大部分を占める簡単な加工は、メーカー，問屋に任せて現場に直送し、難度の高い主要部分の加工は、製作工場に振り分けて加工後現場に搬送することにより、加工効率化と搬送距離短縮による輸送コスト削減を図り、品質証明と共に鋼材の運搬者，トラック番号と移動位置時間，鋼材の流れ，加工の種類と状況，結果の検査記録等、更には支払い金額等をＩＣチップに入力して、工事業者が常時管理把握することにより、確実な品質保証の確認と生産性向上による鉄骨建築の大きなコスト低減及びＣＯ２削減による地球環境にやさしい建設施行を実現する。【選択図】図２
2007193760.tif 000002
【特許請求の範囲】
【請求項１】
鉄骨建築に於て、建設会社から受注した工事業者が仕事をするに当たって、発注したメーカーからの鉄鋼素材のすべてに、工事業者のホストコンピユターでアクセスできるＩＣチップを装着し、鉄鋼素材は柱，梁，階段等に分割して部品化し、加工目的の難易度によって、大部分を占める穴あけ，切断等の簡単な難度の低い加工は、メーカー，問屋に任せて現場に直送し、難度の高い主要部分の加工は、製作工場に振り分けて加工後現場に搬送することにより、加工の効率化と搬送距離短縮による輸送コスト削減を図り、品質証明と共に搬送する鋼材の運搬者，トラック番号と移動位置時間，鋼材の流れ，加工の種類と状況，結果の検査記録等、更には各時点で発生する支払い金額等をＩＣチップに入力して、これにアクセスするホストコンピユターで工事業者が常時管理把握することにより、確実な品質保証の確認と生産性向上による鉄骨建築の大きなコスト低減及びＣＯ２削減による地球環境にやさしい建設施行を実現することを特徴とした鉄骨建築のＩＣチップによる鉄骨鋼材の部品化管理方式。
【発明の詳細な説明】
【技術分野】
【０００１】  本発明は、鉄骨建築の鉄骨構造素材を付加価値加工の難易度により部品化してＩＣチップにより管理することによって、生産性の向上と流通コストの軽減を図る鉄骨鋼材の部品化管理方式に関する。
【背景技術】
【０００２】  鉄骨建築に於ける鉄骨構造素材のメーカーから施工現場組み立てまでの流通の流れは、従来は、総合請負業である建設会社が施主より受注すると、鋼材メーカーから直接又は一次加工の問屋を通すかして製作工場を下請けに持つ各専門の工事業者に工事を発注し、受注した工事業者は、加工図，板書き原寸，鋼材手配等を行って送られて来る鋼材を、工場で先に加工してから現場に搬入し、組み立てを行うなどして全体の建物を構築完成させていた。【０００３】  即ち、建設会社から受注した専門の工事業者が、鉄骨工事を行う場合は、従来は、図１に於て、受注した各専門工事業者毎にメーカー（Ａ）から、或は、一次加工する問屋（Ｂ）を通して夫々の鋼材を買い入れ、同時にミルシートつまり品質証明書を受け取って確認して、自社又は下請けの製作工場（Ｃ）で加工して施工現場（Ｄ）に搬入して組み立て施工を行っている。製作工場等での加工作業では、寸法や溶接状況などの加工結果を製品検査記録として整備する。
【発明の開示】
【発明が解決しようとする課題】
【０００４】  工事の仕事をするに当たっては、図面を板書き原寸化して発注し、付加価値の大小に応じて加工して出荷するが、従来は、加工難度の大きいものから小さいものまで、すべて製作工場一つで混流して加工していた為、作業性の点で生産性が悪く、又、メーカーから各中間の工場を経由する毎に運搬送が繰り返され、１台当たりの回数が多いことから搬送距離が長くなり、運送費が重ねられて持ち込み末端現場での鋼材価格が大きな負担となり、物流コストの低減には結び付かず、品質管理や保証に今一の感あり、生産性の向上には程遠く、問題点が多かった。【０００５】  本発明は、鋼材を加工の難易度により分解分類して、柱や梁など一つ一つ部品として考えて部品化し、その難易度に応じてメーカーと製作工場に分担を振り分けて効率的に加工させ、更には、各素材ごとにＩＣチップを装着して、メーカーから施工現場までの素材の流れから人，物，時間，品質保証などを業者のホストコンピユーターで管理して、物流コストの低減と生産性を向上させる方式を提案するものである。
【課題を解決するための手段】
【０００６】  本発明は、専門の受注工事業者が仕事をするに当たって、発注したメーカーからの鉄鋼素材のすべてに、工事業者のホストコンピユターでアクセスできるＩＣチップを装着し、鉄鋼素材は分割して部品化し、加工の難易度によって、簡単な難度の低い加工は、メーカー，問屋に任せて現場に直送し、難度の高い加工を製作工場に振り分けて加工後現場に搬送して加工の効率化を図ると共に、鋼材の証明を含めて品質や素材の流れ、位置、加工状況等更には各時点で発生する請求金額に至るまで、その都度入力したＩＣチップにアクセスするホストコンピユターで常時管理を図ると共に、物流搬送の輸送コスト低減と搬送距離の短縮に伴うＣＯ２削減による地球環境にやさしい建築施工と生産性を向上による建設コストの大幅な低減を図る鉄骨鋼材の部品化管理方式とした。
【発明の効果】
【０００７】  本発明によれば、鉄骨建築に於て、メーカーから送り出される鉄鋼素材を、柱，梁等に分割して部品化し、鋼材のすべてにＩＣチップを装着して、付加価値加工の難易度によりメーカー，問屋，製作工場に振り分けて加工するので効率的な加工が出来る効果と共に、鋼材の搬送流れや責任者，加工状況，ペーパーレス化された証明やその都度発生する請求金額等を入力したＩＣチップにアクセスするホストコンピユーターによって施工専門業者が作業の流れを常時管理出来る効果があり、又、各工場から施工現場までの搬送距離が短縮され、輸送コストと共にＣＯ２が削減され、全体的な建設コストが大幅に低減される効果がある。
【発明を実施するための最良の形態】
【０００８】  本発明は、鉄骨建築に於て、メーカーから送り出される鉄鋼素材を、柱，梁等に分割して部品化し、鋼材のすべてにＩＣチップを装着して、付加価値加工の難易度によりメーカー，問屋，製作工場に振り分けて加工することにより、各工場から施工現場までの搬送距離を短縮し、鋼材の搬送流れや責任者，加工状況，ペーパーレス化された証明やその都度発生する請求金額等を入力したＩＣチップにアクセスするホストコンピユーターによって施工専門業者が作業の流れを常時管理し、生産性を向上させるものである。【０００９】  物流形態から比較すると、図１は、従来の方法で、建設会社から専門の工事施工業者が受注すると、メーカー（Ａ）から或は一次加工する問屋（Ｂ）を通して夫々ミルシートを付けた鋼材を買い入れ、これを自社又は下請けの製作工場（Ｃ）に一旦搬送して、加工難易度の大きいもの小さいものすべて混流して一つの工場で加工した後、製品検査記録を付帯して施工現場（Ｄ）に搬入して組み立て施工を行っていた。【００１０】  従って、加工のための製作工場（Ｃ）や施工現場（Ｄ）への搬送が何度も繰り返され、トラックー台当たりの走行距離がかなりのキロ数になり燃費と共にＣＯ２の排気量も大気汚染に影響する上、鋼材の流れの状況，位置，加工状況，作業者，責任者更にはミルシートの確認作業や加工後の製品検査記録整備、流れの中でその都度発生する請求金額等は、すべて係の立ち会いのもとに手作業で行われることから、作業性悪く生産性の向上には繋がらず、全体的な建設コストの削減は図れない。【００１１】  本発明では、鋼素材のすべてに、受注した専門業者のホストコンピユターがアクセスするＩＣチップを付帯させ、鋼材を柱，梁など一つ一つを部品と考えて分解分類し、加工の難易度によりメーカーや製作工場に振り分けて加工するもので、例えば、切断，穴あけ等特別な装置のいらない一般的に７０％程度の簡単な加工はメーカーで行い、梁に必ず必要な員数分の組み立て用ボルトナットも付帯させてメーカーから出荷させ、直接現場に搬送するか、製作工場に搬入して、一般的にメーカー出荷の３０％程度の数量の難度の高い加工は製作工場で効率的に行い、最後に組み立て工場に見立てた施工現場に搬入して組み立て施工を行う。【００１２】  鋼材は加工度の難易度により各工場に分担させるので、図２に示すように、効率的に搬送することが出来、一つの現場を例に取ると、図１の場合の従来の搬送距離は、１台当たり４５，３２３Ｋｍとなるに対し、図２のように本発明方法によると、搬送距離は時間を含めて４５％削減出来て２３，６８７Ｋｍとなる実績を得た。【００１３】  更には、すべての鋼材のメーカーから最終現場までの搬送の流れと加工作業の経時的な状況，責任者や証明，経理等の書誌的事項まですべてＩＣチップへ入力する記録により、ホストコンピユーターでアクセスする受注業者がペーパーレスで一括管理することが出来るので、無駄な時間と労力が省かれ、細かい品質管理が行き届いて品質が保証され、建設コストの大幅な低減に繋がるものである。【００１４】  本発明方法によれば、メーカーからの出荷状況から現場組み立てまでの鋼材の流れ，工程と仕事の時系列進行状況が一目して分かって効率的に推進���来ることは勿論、流れに伴う各段階での品質証明書，検査記録，支払い請求書等は、ペーパーレス化され、金銭的にも現金の送金不要で、支払い日時を指定した電子支払いが利用出来るなど、安全確実で極めて利便な効果もある。
【図面の簡単な説明】
【００１５】
【図１】  従来の輸送距離と搬送経路を示した説明図である。
【図２】  本発明方法の距離と搬送経路を示した説明図である。
【符号の説明】
【００１６】      Ａ  メーカー
Ｂ  問屋
Ｃ  製作工場
Ｄ  施行現場
【図１】
2007193760.tif 000003
【図２】
2007193760.tif 000004